(57)【要約】【課題】足場板の位置ずれを軽減すると共に、枠組足場の組み立て解体に伴う作業効率を向上させることが可能な枠組足場用足場板を提供する。【解決手段】足場板10裏面中央の回動支持部20を中心に左又は右に回動する回動操作棒21と、該操作棒21の回動に伴う操作棒21両端の回動を足場板10両端の布枠端面部12a,12bの方向へのスライドに変換して伝達する一対のスライド伝達棒19a,19bと、各スライド伝達棒19a,19bのスライドに応じて布枠端面部12a,12bから足場板10四隅の対角にある（横架材Ｈａ，Ｈｂの）掴み部13a,13bに沿って突出または引込んでスライドする各スライド部材16a,16bと、各スライド部材16a,16bの先端に支持され、該スライド部材16a,16bの突出時に横架材Ｈａ，Ｈｂの側面を強く押圧すると共に、横架材Ｈａ，Ｈｂの下側面に回り込んで引っ掛かる押し当て固定部15A,15Bと、からなる横架材押圧固定機構を備える。【選択図】      図１Ｂ
2020133237.tif 000002
【特許請求の範囲】
【請求項１】
足場板の少なくとも四隅に当該足場板の長手の側面を延長する方向に突出して設けられ、建枠の横架材に架けるための下方向の開口部を有する掴み部と、
前記足場板の長手方向の側面からそれぞれ前記横架材の側面に向けて突出したり引込んだりしてスライドするように設けられ、当該突出した状態で前記横架材の側面を押圧すると共に同横架材の下側面を支持する押し当て固定部と、
前記足場板の裏面に沿って設けられ、前記押し当て固定部を、ユーザ操作に応じて、共に、前記突出させたり引込めたりしてスライドさせるための操作部と、
前記操作部を、前記各押し当て固定部を突出させた状態でロックするためのロック機構と、
を備えた枠組足場用足場板。
【請求項２】
前記押し当て固定部は、前記足場板の四隅のうち、対角にある２つの前記掴み部に沿って設けられる、
請求項１に記載の枠組足場用足場板。
【請求項３】
前記押し当て固定部は、前記足場板の四隅にある４つの前記掴み部に沿って設けられる、
請求項１に記載の枠組足場用足場板。
【請求項４】
前記操作部は、前記足場板の裏面中央を回動中心にして設けた左右に回動する回動操作棒であり、
前記回動操作棒の左右一方への回動に伴う当該回動操作棒の両端それぞれの回動を前記足場板の両端の方向へのスライドに変換して伝達する一対のスライド伝達棒と、
前記スライド伝達棒のスライドに応じて前記足場板の前記掴み部に沿って突出または引込んでスライドするスライド部材と、を備え、
前記押し当て固定部は、前記スライド部材の突出する方向の先端に支持される、
請求項１ないし請求項３の何れか一項に記載の枠組足場用足場板。
【請求項５】
前記押し当て固定部と、前記操作部と、前記ロック機構と、を含む横架材押圧固定機構は、前記足場板の厚み内に納めて構成される、
請求項１ないし請求項４の何れか一項に記載の枠組足場用足場板。
【請求項６】
前記ロック機構は、二重ロック可能に構成される、
請求項１ないし請求項５の何れか一項に記載の枠組足場用足場板。
【発明の詳細な説明】
【技術分野】
【０００１】
本発明の実施形態は、枠組足場用足場板に関する。
【背景技術】
【０００２】
建築工事現場などで設置される枠組足場用の足場板は、例えば、長さ２，０００ｍｍ×幅４５０ｍｍの長方形の鋼板からなる床板とその布枠を有し、建築対象となる建物の側壁に面し一定の間隔を置いて立設される各建枠の横架材間に、当該足場板の両端の四隅に設けられた逆Ｕ字状の掴み金物（掴み部）を架けることで懸架される。
【０００３】
そして、掴み部における逆Ｕ字状の開口部には、自重によって当該開口部の先端が閉じる方向に回動する外れ止め金具が設けられており、当該外れ止め金具により、足場板が横架材から外れるのを防止している。
【０００４】
このため、足場板を建枠の横架材に懸架するときと外すとき（着脱するとき）には、その都度、作業員が足場板の両端にある各掴み部の外れ止め金具を開く必要があり、作業員が一人で作業するには足場板の両端への移動を要し作業効率が悪い。
【０００５】
また、各掴み部の開口部の幅は、枠組足場の組み立て誤差を要することから、横架材の直径に対し余裕を持った幅で設計されている。このため、足場板は、外れ止め金具により横架材から外れはしないものの、作業員による足場板上での作業が進み、当該足場板にその作業に伴う振動が与えられ続けることにより、同足場板には横架材に沿った幅方向への位置ずれが生じ、並べて懸架された隣接する足場板との間に隙間ができてしまう。
【０００６】
並べて懸架された各足場板間の隙間は、作業員の安全を確保する目的で、法規上３０ｍｍ以内に定められている。
【０００７】
従来、枠組足場の組み立て作業性を向上させるための種々の技術が提案されている（例えば、特許文献１〜３参照。）。
【先行技術文献】
【特許文献】
【０００８】
【特許文献１】特開２００４−２７８２６２号公報
【特許文献２】特開平０７−０６２８５５号公報
【特許文献３】特開２００５−１７１６４９号公報
【発明の概要】
【発明が解決しようとする課題】
【０００９】
本発明が解決しようとする課題は、足場板の位置ずれを軽減すると共に、枠組足場の組み立て解体に伴う作業効率を向上させることが可能になる枠組足場用足場板を提供することにある。
【課題を解決するための手段】
【００１０】
実施形態の枠組足場用足場板は、
足場板の少なくとも四隅に当該足場板の長手の側面を延長する方向に突出して設けられ、建枠の横架材に架けるための下方向の開口部を有する掴み部と、
前記足場板の長手方向の側面からそれぞれ前記横架材の側面に向けて突出したり引込んだりしてスライドするように設けられ、当該突出した状態で前記横架材の側面を押圧すると共に同横架材の下側面を支持する押し当て固定部と、
前記足場板の裏面に沿って設けられ、前記押し当て固定部を、ユーザ操作に応じて、共に、前記突出させたり引込めたりしてスライドさせるための操作部と、
前記操作部を、前記各押し当て固定部を突出させた状態でロックするためのロック機構と、
を備えている。
【図面の簡単な説明】
【００１１】
【図１Ａ】第１実施形態の枠組足場用足場板１０を横架材Ｈａ，Ｈｂに固定していない状態での当該足場板１０の表面の構成を示す図。
【図１Ｂ】第１実施形態の枠組足場用足場板１０を横架材Ｈａ，Ｈｂに固定していない状態での当該足場板１０の裏面の構成を示す図。
【図２Ａ】第１実施形態の枠組足場用足場板１０を横架材Ｈａ，Ｈｂに固定した状態での当該足場板１０の表面の構成を示す図。
【図２Ｂ】第１実施形態の枠組足場用足場板１０を横架材Ｈａ，Ｈｂに固定した状態での当該足場板１０の裏面の構成を示す図。
【図３】第１実施形態の枠組足場用足場板１０を含む枠組足場の基本的な組み立て構成を示す図。
【図４】図１Ａの枠組足場用足場板１０を横架材Ｈａ，Ｈｂに固定していない状態での当該足場板１０の掴み部１３ｂ付近の構成を横から見て示すＡ−Ａ線矢視図。
【図５】図２Ａの枠組足場用足場板１０を横架材Ｈａ，Ｈｂに固定した状態での当該足場板１０の掴み部１３ｂ付近の構成を横から見て示すＢ−Ｂ線矢視図。
【図６】第１実施形態の枠組足場用足場板１０を作業員により横架材Ｈａ，Ｈｂに架けて固定する際の作業例を示す図。
【図７】第１実施形態の枠組足場用足場板１０を作業員により横架材Ｈａ，Ｈｂから外す際の作業例を示す図。
【図８Ａ】第２実施形態の枠組足場用足場板１０を横架材Ｈａ，Ｈｂに固定していない状態での当該足場板１０の表面の構成を示す図。
【図８Ｂ】第２実施形態の枠組足場用足場板１０を横架材Ｈａ，Ｈｂに固定していない状態での当該足場板１０の裏面の構成を示す図。
【図９Ａ】第２実施形態の枠組足場用足場板１０を横架材Ｈａ，Ｈｂに固定した状態での当該足場板１０の表面の構成を示す図。
【図９Ｂ】第２実施形態の枠組足場用足場板１０を横架材Ｈａ，Ｈｂに固定した状態での当該足場板１０の裏面の構成を示す図。
【発明を実施するための形態】
【００１２】
（第１実施形態）
図１Ａは、第１実施形態の枠組足場用足場板１０を横架材Ｈａ，Ｈｂに固定していない状態での当該足場板１０の表面の構成を示す図である。
【００１３】
図１Ｂは、第１実施形態の枠組足場用足場板１０を横架材Ｈａ，Ｈｂに固定していない状態での当該足場板１０の裏面の構成を示す図である。
【００１４】
図２Ａは、第１実施形態の枠組足場用足場板１０を横架材Ｈａ，Ｈｂに固定した状態での当該足場板１０の表面の構成を示す図である。
【００１５】
図２Ｂは、第１実施形態の枠組足場用足場板１０を横架材Ｈａ，Ｈｂに固定した状態での当該足場板１０の裏面の構成を示す図である。
【００１６】
図３は、第１実施形態の枠組足場用足場板１０を含む枠組足場の基本的な組み立て構成を示す図である。
【００１７】
図４は、図１Ａの枠組足場用足場板１０を横架材Ｈａ，Ｈｂに固定していない状態での当該足場板１０の掴み部１３ｂ付近の構成を横から見て示すＡ−Ａ線矢視図である。
【００１８】
図５は、図２Ａの枠組足場用足場板１０を横架材Ｈａ，Ｈｂに固定した状態での当該足場板１０の掴み部１３ｂ付近の構成を横から見て示すＢ−Ｂ線矢視図である。
【００１９】
枠組足場用足場板１０は、アルミニウムなどの鋼板からなる長方形の床板１１と、当該床板１１の外周を囲んで設けられた補強用の布枠１１ａ，１１ｂ，１２ａ，１２ｂ（布枠側面部１１ａ，１１ｂと布枠端面部１２ａ，１２ｂからなる）と、床板１１の四隅に布枠側面部１１ａ，１１ｂをその長手方向に延長するように突出して設けられた４つの掴み金物（掴み部）１３ａ，１３ｂ，１３ｃ，１３ｄとを有する。
【００２０】
掴み部１３ａ，１３ｂ，１３ｃ，１３ｄは、何れもその側面から見て逆Ｕ字状になる開口部１４（図４、図５参照）を有し、当該開口部１４により横架材Ｈａ，Ｈｂを掴むように、床板１１の一端側の掴み部１３ａ，１３ｃを一方の横架材Ｈａに架け、他端側の掴み部１３ｂ，１３ｄを他方の横架材Ｈｂに架けることで、地面から立設された隣り合う各建枠２（図３参照）の各横架材Ｈａ，Ｈｂ間に懸架される。
【００２１】
また、床板１１の四隅のうち、対角に位置する掴み部１３ｂ，１３ｃの近傍には、矢印Ｐａ，Ｐｂ（図１Ａ、図１Ｂ、図４参照）に示すように、布枠端面部１２ａ，１２ｂから横架材Ｈａ，Ｈｂの側面に向けてスライドして突出したり、逆に、矢印Ｐａ´，Ｐｂ´（図２Ａ、図２Ｂ、図５参照）に示すように、当該突出した位置から布枠端面部１２ａ，１２ｂに向けてスライドして戻ったりする断面Ｌ字状の押し当て固定部１５Ａ，１５Ｂが設けられる。
【００２２】
押し当て固定部１５Ａ，１５Ｂは、そのＬ字の長辺となる押し当て背面部１５ａと、底辺となる顎部１５ｂとを有し、横架材Ｈａ，Ｈｂの側面に向けて突出した時には、押し当て背面部１５ａが横架材Ｈａ，Ｈｂの側面を押圧すると共に、顎部１５ｂが同横架材Ｈａ，Ｈｂの側面から下に回り込んで引っ掛かる（横架材Ｈａ，Ｈｂを支持する）ことで、同横架材Ｈａ，Ｈｂに対し足場板１０を直接的な固定の状態にする。
【００２３】
これにより、足場板１０は、横架材Ｈａ，Ｈｂに対して、押し当て固定部１５Ａ，１５Ｂの顎部１５ｂによる引っ掛かり作用により上方への抜けが完全に防止されると共に、押し当て背面部１５ａによる押圧作用により当該足場板１０の幅方向への位置ずれが防止される。
【００２４】
押し当て固定部１５Ａ，１５Ｂは、その押し当て背面部１５ａの背面を垂直に支持するスライド部材１６ａ，１６ｂが、当該スライド部材１６ａ，１６ｂの幅と高さに応じた布枠端面部１２ａ，１２ｂの貫通孜に挿通されることでスライド可能に支持され、当該貫通孔の両端に沿って布枠端面部１２ａ，１２ｂの内方に向けて垂直に立設されたスライドガイド１７により、スライドする方向が横架材Ｈａ，Ｈｂの側面に向けて垂直になる方向に保持される。
【００２５】
スライド部材１６ａ，１６ｂの先端には、結合ピン１８ａ，１８ｂを介し、床板１１の裏面に略平行に沿って当該床板１１の中央付近にまで延びる長さのスライド伝達棒１９ａ，１９ｂの一端が結合され、当該各スライド伝達棒１９ａ，１９ｂの他端側には、それぞれ、床板１１の裏面中央に立設された回動支持部２０を中点且つ支点として回動する回動操作棒（操作部）２１の両端が、それぞれ、結合ピン２２ａ，２２ｂを介して結合される。
【００２６】
回動操作棒（操作部）２１は、回動支持部２０を中点として床板１１の幅の２分の１程度の長さを有し、その両端がそれぞれ、各スライド伝達棒１９ａ，１９ｂの他端側の一定長さの先端部を残した位置に、結合ピン２２ａ，２２ｂにより結合される。
【００２７】
なお、各スライド伝達棒１９ａ，１９ｂと回動操作棒２１の本第１実施形態における設計上の長さは、図１Ｂに示すように、当該回動操作棒２１を矢印Ｒａ，Ｒｂに示すように左に回動操作し、各スライド伝達棒１９ａ，１９ｂを矢印Ｓａ，Ｓｂに示す方向にスライドさせることにより、図２Ｂに示すように、各スライド伝達棒１９ａ，１９ｂと回動操作棒２１とが略直線となった場合に、各スライド部材１６ａ，１６ｂを介して支持された各押し当て固定部１５Ａ，１５Ｂが、それぞれ各横架材Ｈａ，Ｈｂの方向（図１Ａ，図１Ｂ，図４の矢印Ｐａ，Ｐｂ）へ突出し、当該各横架材Ｈａ，Ｈｂの側面を十分強く押圧する力が得られるよう、各スライド伝達棒１９ａ，１９ｂが若干撓む程度の張力を与える長さとする。
【００２８】
回動操作棒２１の、回動支持部２０を境にした一端側の結合ピン２２ａより手前の中程と、他端側の結合ピン２２ｂより手前の中程との、それぞれにおける矢印Ｒａ，Ｒｂに示す左への回動方向と逆の縁（つまり各押し当て固定部１５Ａ，１５Ｂにより各横架材Ｈａ，Ｈｂを押圧するために回動操作部２１を左へ回動させる方向Ｒａ，Ｒｂの後方側の縁）には、ロック凹部２３ａ，２３ｂが設けられる。
【００２９】
また、各スライド伝達棒１９ａ，１９ｂの他端側の先端部には、それぞれ、回動操作棒２１の左への回動（矢印Ｒａ，Ｒｂ）により当該回動操作棒２１と各スライド伝達棒１９ａ，１９ｂとが略直線となった場合に、回動操作棒２１のロック凹部２３ａ，２３ｂに嵌合するロック凸部２４ａ，２４ｂが設けられる。
【００３０】
なお、各スライド伝達棒１９ａ，１９ｂのロック凸部２４ａ，２４ｂは、図１Ｂに示すように、回動操作棒２１を矢印Ｒａ，Ｒｂに示す方向に左へ回動させることで、図２Ｂに示すように、当該回動操作棒２１と各スライド伝達棒１９ａ，１９ｂとが略直線となり、各押し当て固定部１５Ａ，１５Ｂが各横架材Ｈａ，Ｈｂを強く押圧する状態となった場合に、回動操作棒２１の各ロック凹部２３ａ，２３ｂに略嵌合し、更に、回動操作棒２１を矢印Ｒａ，Ｒｂに示す左の方向に、各スライド伝達棒１９ａ，１９ｂと回動操作棒２１との張力のピークを越えて若干回動させることで、当該張力に抗する力によって回動操作棒２１の各ロック凹部２３ａ，２３ｂに完全に嵌合してロックされる。
【００３１】
床板１１の裏面において（図１Ｂ，図２Ｂ参照）、各スライド伝達棒１９ａ，１９ｂが回動操作棒２１の回動に応じてスライドして可動する範囲の中間部には、当該スライド伝達棒１９ａ，１９ｂを床板１１の裏面に略平行に沿って保持するための可動保持板２５ａ，２５ｂが設けられる。
【００３２】
図２Ａ，図２Ｂ，図５に示すように、回動操作棒２１と各スライド伝達棒１９ａ，１９ｂとが略直線となり、各押し当て固定部１５Ａ，１５Ｂの押し当て背面部１５ａが横架材Ｈａ，Ｈｂの側面を押圧すると共に、顎部１５ｂが同横架材Ｈａ，Ｈｂの側面から下に回り込んで引っ掛かることで、同横架材Ｈａ，Ｈｂに対し足場板１０を直接的に固定した状態（回動操作棒２１のロック凹部２３ａ，２３ｂにスライド伝達棒１９ａ，１９ｂのロック凸部２４ａ，２４ｂが完全に嵌合してロックされた状態）において、回動操作棒２１を矢印Ｒａ´，Ｒｂ´に示すように右へ回動すると、各スライド伝達棒１９ａ，１９ｂを介して、矢印Ｓａ´，Ｓｂ´に示すように各スライド部材１６ａ，１６ｂが布枠端面部１２ａ，１２ｂの内方に向けてスライドするのに伴い、矢印Ｐａ´，Ｐｂ´に示すように各押し当て固定部１５Ａ，１５Ｂが各横架材Ｈａ，Ｈｂを押圧している位置から離れ、布枠端面部１２ａ，１２ｂ上の元の位置（図１Ａ，図１Ｂ，図４参照）に戻る。
【００３３】
これにより、足場板１０を下から持ち上げて、四隅の掴み部１３ａ，１３ｂ，１３ｃ，１３ｄから略一気に横架材Ｈａ，Ｈｂを抜くことができるので、作業員一人でも、当該足場板１０を枠組足場から容易に外すことが可能になる。
【００３４】
ここで、図３に示す枠組足場の基本構成を参照し、当該枠組足場の組み立て手順について説明する。
＜一層目＞
（１）地面にベースジャッキ１を配置する。
（２）建枠２を二枠並列にベースジャッキ１に差し込んで立設する。
（３）並列に立設した各建枠２間に交差筋かい３を取り付ける。
（４）足場板１０の各掴み部１３ａ〜１３ｄを、各建枠２の横架材Ｈａ，Ｈｂ間に架けて取り付ける。この際、前述した通り、足場板１０の裏面にある回動操作棒２１を左に回動操作することで、各押し当て固定部１５Ａ，１５Ｂを、横架材Ｈａ，Ｈｂの側面に強く押圧させると共に、横架材Ｈａ，Ｈｂの下側面に引っ掛け、同横架材Ｈａ，Ｈｂに対し足場板１０を直接的な固定の状態にする。
＜二層目＞
（５）下層の各建枠２のジョイント４に上層の各建枠２を差し込む。
（６）上層の各建枠２間に交差筋かい３を取り付ける。
（７）上層の足場板１０を、下層の足場板１０と同様に、上層の各建枠２の横架材Ｈａ，Ｈｂ間に架けて取り付ける。
（８）下層と上層の各建枠２間にアームロック５を取り付けて、上下の各建枠２を連結する。
【００３５】
図６は、第１実施形態の枠組足場用足場板１０を作業員により横架材Ｈａ，Ｈｂに架けて固定する際の作業例を示す図である。
【００３６】
すなわち、交差筋かい３を取り付けた各建枠２間に作業員が立ち、同作業員が足場板１０を持ち上げ、足場板１０の各掴み部１３ａ〜１３ｄを各建枠２の横架材Ｈａ，Ｈｂ間に架けて取り付けた後、同作業員の左手ＮＬと右手ＮＲで足場板１０裏面の各スライド伝達棒１９ａ，１９ｂの先端を掴み、矢印Ｒａ，Ｒｂに示すように、回動操作棒２１を左に回動操作する。
【００３７】
これにより、作業員一人の作業によって、容易に、図２Ａ、図２Ｂ、図５で示したように、足場板１０の各布枠端面部１２ａ，１２ｂから各押し当て固定部１５Ａ，１５Ｂを突出させ、その押し当て背面部１５ａを横架材Ｈａ，Ｈｂの側面に押圧させると共に、その顎部１５ｂを同横架材Ｈａ，Ｈｂの側面から下に回り込ませて引っ掛け、同横架材Ｈａ，Ｈｂに対し足場板１０を直接的に固定することができる。
【００３８】
この際、足場板１０は、横架材Ｈａ，Ｈｂに対して、押し当て固定部１５Ａ，１５Ｂの顎部１５ｂによる引っ掛かり作用により上方への抜けが完全に防止されると共に、押し当て背面部１５ａによる押圧作用により当該足場板１０の幅方向への位置ずれが防止される。
【００３９】
図７は、第１実施形態の枠組足場用足場板１０を作業員により横架材Ｈａ，Ｈｂから外す際の作業例を示す図である。
【００４０】
足場板１０を各建枠２の横架材Ｈａ，Ｈｂ間に懸架して取り付けた際と同様に、当該各建枠２間に作業員が立ち、同作業員の頭上に位置する足場板１０の各スライド伝達棒１９ａ，１９ｂの先端を、同作業員の左手ＮＬと右手ＮＲで掴み、矢印Ｒａ´，Ｒｂ´に示すように、回動操作棒２１を右に回動操作する。
【００４１】
これにより、足場板１０を外す場合でも、作業員一人の作業によって、容易に、図１Ａ、図１Ｂ、図４で示したように、足場板１０の各押し当て固定部１５Ａ，１５Ｂを、各横架材Ｈａ，Ｈｂを押圧している位置から離し、各布枠端面部１２ａ，１２ｂ上の元の位置に戻すことができる。よって、作業員一人でも、足場板１０を下から持ち上げて、四隅の掴み部１３ａ，１３ｂ，１３ｃ，１３ｄから略一気に横架材Ｈａ，Ｈｂを抜くことができ、当該足場板１０を枠組足場から容易に外すことが可能になる。
【００４２】
なお、足場板１０の回動操作棒２１を回動操作する作業は、必ずしも作業員の両手ＮＬ，ＮＲによって行なう必要はなく、当該回動操作棒２１を直接片手ＮＲ（またはＮＬ）で掴んで行ってもよいのは勿論である。
【００４３】
したがって、このように構成した第１実施形態の枠組足場用足場板１０によれば、足場板１０の裏面中央の回動支持部２０を回動中心にして設けた左または右に回動する回動操作棒２１と、回動操作棒２１の回動に伴う当該操作棒２１両端それぞれの回動を足場板１０両端の各布枠端面部１２ａ，１２ｂの方向へのスライドに変換して伝達する一対のスライド伝達棒１９ａ，１９ｂと、各スライド伝達棒１９ａ，１９ｂのスライドに応じて各布枠端面部１２ａ，１２ｂから足場板１０四隅の対角にある（横架材Ｈａ，Ｈｂの）掴み部１３ｂ，１３ｃに沿って突出または引込んでスライドする各スライド部材１６ａ，１６ｂと、各スライド部材１６ａ，１６ｂの先端に支持され、当該スライド部材１６ａ，１６ｂの突出時に各横架材Ｈａ，Ｈｂの側面を強く押圧すると共に、同横架材Ｈａ，Ｈｂの下側面に回り込んで引っ掛かる各押し当て固定部１５Ａ，１５Ｂと、からなる横架材押圧固定機構を備え、作業員一人であっても、回動操作棒２１を左または右に回動操作するだけで、容易に、各横架材Ｈａ，Ｈｂ間に架けた足場板１０を同横架材Ｈａ，Ｈｂに対し直接的な固定状態としたり同固定状態を解放したりできる。
【００４４】
よって、四隅の掴み部に外れ止め金具が設けられた従来の足場板を使用した場合に比較して、枠組足場に取り付けた足場板１０の位置ずれを大きく軽減できると共に、枠組足場の組み立て解体に伴う作業効率を大幅に向上させることが可能になる。
【００４５】
なお、足場板１０の裏面に沿うように設けられた回動操作棒２１と、各スライド伝達棒１９ａ，１９ｂと、各スライド部材１６ａ，１６ｂと、各押し当て固定部１５Ａ，１５Ｂと、からなる横架材押圧固定機構は、足場板１０の布枠側面部１１ａ，１１ｂおよび布枠端面部１２ａ，１２ｂの上下の幅により定まる当該足場板１０の厚み内に納めて構成されるので、枠組足場を解体し複数の同足場板１０を重ねて運搬する場合であっても、その横架材押圧固定機構が邪魔になることなく、各足場板１０…を隙間なく重ねて効率よく運搬することができる。
【００４６】
（第２実施形態）
図８Ａは、第２実施形態の枠組足場用足場板１０を横架材Ｈａ，Ｈｂに固定していない状態での当該足場板１０の表面の構成を示す図である。
【００４７】
図８Ｂは、第２実施形態の枠組足場用足場板１０を横架材Ｈａ，Ｈｂに固定していない状態での当該足場板１０の裏面の構成を示す図である。
【００４８】
図９Ａは、第２実施形態の枠組足場用足場板１０を横架材Ｈａ，Ｈｂに固定した状態での当該足場板１０の表面の構成を示す図である。
【００４９】
図９Ｂは、第２実施形態の枠組足場用足場板１０を横架材Ｈａ，Ｈｂに固定した状態での当該足場板１０の裏面の構成を示す図である。
【００５０】
第１実施形態の枠組足場用足場板１０の横架材押圧固定機構では、図１Ａ〜図２Ｂで示したように、足場板１０の四隅の掴み部１３ａ〜１３ｄのうち対角に位置する２つの掴み部１３ｂ，１３ｃに沿って、足場板１０を架けた各横架材Ｈａ，Ｈｂの側面を強く押圧すると共に同横架材Ｈａ，Ｈｂの下側面に回り込んで引っ掛かる一対の押し当て固定部１５Ａ，１５Ｂを設ける構成とした。
【００５１】
これに対し、第２実施形態の枠組足場用足場板１０の横架材押圧固定機構では、図８Ａ〜図９Ｂで示すように、足場板１０の四隅の各掴み部１３ａ〜１３ｄに沿って、４つの押し当て固定部１５Ａ〜１５Ｄを設けることで、当該４つの押し当て固定部１５Ａ〜１５Ｄにより、第１実施形態より強固に、足場板１０を架けた各横架材Ｈａ，Ｈｂの側面を押圧すると共に同横架材Ｈａ，Ｈｂの下側面に引っ掛けて固定可能な構成とする。
【００５２】
すなわち、第２実施形態の枠組足場用足場板１０によれば、第１実施形態の各スライド部材１６ａ，１６ｂに代えて、各スライド伝達棒１９ａ，１９ｂのスライドに応じて各布枠端面部１２ａ，１２ｂから足場板１０四隅の各掴み部１３ａ〜１３ｄに沿ってコの字の各先端部が突出または引込んでスライドするコ字状の各スライド部材１６ａｃ，１６ｂｄを設ける。そして、各スライド部材１６ａｃ，１６ｂｄの各コの字の先端に、それぞれ、当該各スライド部材１６ａｃ，１６ｂｄの突出時に各横架材Ｈａ，Ｈｂの側面を強く押圧すると共に、同横架材Ｈａ，Ｈｂの下側面に回り込んで引っ掛かる各押し当て固定部１５Ａ，１５Ｂ，１５Ｃ，１５Ｄを支持して設ける。
【００５３】
なお、図８Ａの枠組足場用足場板１０（第２実施形態）を横架材Ｈａ，Ｈｂに固定していない状態での当該足場板１０の掴み部１３ｂ付近の構成を横から見て示すＡ−Ａ線矢視図と、図９Ａの枠組足場用足場板１０（第２実施形態）を横架材Ｈａ，Ｈｂに固定した状態での当該足場板１０の掴み部１３ｂ付近の構成を横から見て示すＢ−Ｂ線矢視図とは、図４と図５とを参照して説明した第１実施形態の枠組足場用足場板１０と同様であるため、その図示を省略する。
【００５４】
また、本第２実施形態の枠組足場用足場板１０において、回動操作棒２１の各ロック凹部２３ａ，２３ｂと、各スライド伝達棒１９ａ，１９ｂのロック凸部２４ａ，２４ｂと、からなるロック機構の構成も、第１実施形態と同様であるため、その説明を省略する。
【００５５】
また、各スライド伝達棒１９ａ，１９ｂと回動操作棒２１の本第２実施形態における設計上の長さも、第１実施形態と同様であり、図８Ｂに示すように、当該回動操作棒２１を矢印Ｒａ，Ｒｂに示すように左に回動操作し、各スライド伝達棒１９ａ，１９ｂおよび各スライド部材１６ａｃ，１６ｂｄを矢印Ｓａ，Ｓｂ，Ｓｃ，Ｓｄに示す方向にスライドさせることにより、図９Ｂに示すように、各スライド伝達棒１９ａ，１９ｂと回動操作棒２１とが略直線となった場合に、各スライド部材１６ａｃ，１６ｂｄを介して支持された４つの押し当て固定部１５Ａ，１５Ｂ，１５Ｃ，１５Ｄが、それぞれ各横架材Ｈａ，Ｈｂの方向（図８Ａ，図８Ｂ，図４の矢印Ｐａ，Ｐｂ，Ｐｃ，Ｐｄ）へ突出し、当該各横架材Ｈａ，Ｈｂの側面を十分強く押圧する力が得られるよう、各スライド伝達棒１９ａ，１９ｂが若干撓む程度の張力を与える長さとする。
【００５６】
これにより、第２実施形態の足場板１０は、横架材Ｈａ，Ｈｂに対して、第１実施形態よりも強力に、各押し当て固定部１５Ａ，１５Ｂ，１５Ｃ，１５Ｄの顎部１５ｂによる引っ掛かり作用により上方への抜けが完全に防止されると共に、押し当て背面部１５ａによる押圧作用により当該足場板１０の幅方向への位置ずれが防止される。
【００５７】
そして、図９Ａ，図９Ｂ，図５に示すように、回動操作棒２１を矢印Ｒａ´，Ｒｂ´に示すように右へ回動すると、各スライド伝達棒１９ａ，１９ｂを介して、矢印Ｓａ´，Ｓｂ´，Ｓｃ´，Ｓｄ´に示すように各スライド部材１６ａｃ，１６ｂｄが布枠端面部１２ａ，１２ｂの内方に向けてスライドするのに伴い、矢印Ｐａ´，Ｐｂ´，Ｐｃ´，Ｐｄ´に示すように各押し当て固定部１５Ａ，１５Ｂ，１５Ｃ，１５Ｄが各横架材Ｈａ，Ｈｂを押圧している位置から離れ、布枠端面部１２ａ，１２ｂ上の元の位置（図８Ａ，図８Ｂ，図４参照）に戻る。
【００５８】
これにより、本第２実施形態の枠組足場用足場板１０でも、第１実施形態と同様に、足場板１０を下から持ち上げて、四隅の掴み部１３ａ，１３ｂ，１３ｃ，１３ｄから略一気に横架材Ｈａ，Ｈｂを抜くことができるので、作業員一人でも、当該足場板１０を枠組足場から容易に外すことが可能になる。
【００５９】
したがって、このように構成した第２実施形態の枠組足場用足場板１０によっても、第１実施形態と同様に、作業員一人であっても、回動操作棒２１を左または右に回動操作するだけで、簡単に、各横架材Ｈａ，Ｈｂ間に架けた足場板１０を同横架材Ｈａ，Ｈｂに対し直接的な固定状態としたり同固定状態を解放したりできる。
【００６０】
よって、枠組足場に取り付けた足場板１０の位置ずれを大きく軽減できると共に、枠組足場の組み立て解体に伴う作業効率を大幅に向上させることが可能になる。
【００６１】
なお、第１および第２実施形態において説明した横架材押圧固定機構の構成は、当該各実施形態にて開示した構成に限らないのは言うまでもなく、作業員が操作する操作部によって各押し当て固定部１５Ａ，１５Ｂ（１５Ｃ，１５Ｄ）が共に突出し、横架材Ｈａ，Ｈｂを押圧すると共に同横架材Ｈａ，Ｈｂの下側面にその一部が回り込む構成となればよいものである。
【００６２】
また、第１および第２実施形態において、回動操作棒２１の各ロック凹部２３ａ，２３ｂと、各スライド伝達棒１９ａ，１９ｂのロック凸部２４ａ，２４ｂと、からなるロック機構には、更に、例えば回動操作棒２１それ自体の回動をユーザ操作に応じて機械的に阻止するためのもう一つのロック機構を設け、二重ロック可能な構成としてもよい。
【００６３】
また、第１および第２実施形態において、回動操作棒２１を、矢印Ｒａ´，Ｒｂ´に示す右周りの方向に軽く付勢するための付勢機構（例えば、回動支持部２０に回転バネを取り付けて構成）を設けることで、枠組足場用足場板１０を横架材Ｈａ，Ｈｂに固定していない状態では、各押し当て固定部１５Ａ，１５Ｂ（１５Ｃ，１５Ｄ）が布枠端面部１２ａ，１２ｂに当接した元の位置（図１Ａ，図１Ｂ，図４，図８Ａ，図８Ｂ参照）に戻っている状態を維持できるように構成してもよい。これにより、掴み部１３ａ〜１３ｄを横架材Ｈａ，Ｈｂに架ける際に、各押し当て固定部１５Ａ，１５Ｂ（１５Ｃ，１５Ｄ）が当該掴み部１３ａ〜１３ｄの開口部１４に出て邪魔になるのを防止することができる。
【００６４】
また、第１および第２実施形態において、枠組足場用足場板１０の重量を軽くするため、可動保持板２５ａ，２５ｂを省いた構成としてもよい。
【００６５】
ここまで本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６６】
１…ベースジャッキ、２…建枠、３…交差筋かい、Ｈａ，Ｈｂ…横架材、
１０…枠組足場用足場板、１１…床板、１１ａ，１１ｂ…布枠側面部、
１２ａ，１２ｂ…布枠端面部、１３ａ〜１３ｄ…掴み金具（掴み部）、１４…開口部、
１５Ａ〜１５Ｄ…押し当て固定部、１５ａ…押し当て背面部、１５ｂ…顎部、
１６ａ，１６ｂ，１６ａｃ，１６ｂｄ…スライド部材、１７…スライドガイド、
１８ａ，１８ｂ，２２ａ，２２ｂ…結合ピン、１９ａ，１９ｂ…スライド伝達棒、
２０…回動支持部、２１…回動操作棒、２３ａ，２３ｂ…ロック凹部、
２４ａ，２４ｂ…ロック凸部、２５ａ，２５ｂ…可動保持板。
【図１Ａ】
2020133237.tif 000003
【図１Ｂ】
2020133237.tif 000004
【図２Ａ】
2020133237.tif 000005
【図２Ｂ】
2020133237.tif 000006
【図３】
2020133237.tif 000007
【図４】
2020133237.tif 000008
【図５】
2020133237.tif 000009
【図６】
2020133237.tif 000010
【図７】
2020133237.tif 000011
【図８Ａ】
2020133237.tif 000012
【図８Ｂ】
2020133237.tif 000013
【図９Ａ】
2020133237.tif 000014
【図９Ｂ】
2020133237.tif 000015